(57)【要約】  移動通信システムにおける短レイテンシデータ送信支援方法を提供する。１つのフレームは、アップリンクサブフレーム及びダウンリンクサブフレームに区分される。上記アップリンクサブフレーム及び上記ダウンリンクサブフレームの各々は、短レイテンシデータ送信のための少なくとも１つの領域を含み、上記少なくとも１つの領域の各々は、データリソース割当を示すための第１のチャネル、データが送信される第２のチャネル、又はフィードバック信号受信のための第３のチャネルを含む。上記方法は、送信端が上記少なくとも１つの領域の中のいずれか１つの領域に含まれている第１のチャネルを用いて第２のチャネルの位置及びサイズを示すステップと、第２のチャネルを介してデータを送信するステップと、第２のチャネルを介して送信されたデータに関するフィードバック情報を第３のチャネルを介して受信するステップと、を具備する。
2010526510.tif 000002
【特許請求の範囲】
【請求項１】
移動通信システムにおける短レイテンシデータバースト送信支援方法であって、
フレームをアップリンクサブフレームとダウンリンクサブフレームとに区分し、前記アップリンクサブフレーム及び前記ダウンリンクサブフレームの各々は、短レイテンシデータバースト送信のための少なくとも１つの領域を含み、前記少なくとも１つの領域の各々は、データリソース割当を示すための第１のチャネル、データバーストが送信される第２のチャネル、及びフィードバック信号受信のための第３のチャネルの中の少なくとも１つを含み、
送信端が前記少なくとも１つの領域の中のいずれか１つの領域に含まれている前記第１のチャネルを用いて前記第２のチャネルの位置及びサイズを示すステップと、
前記第２のチャネルを介してデータを送信するステップと、
前記第２のチャネルを介して送信されたデータバーストに関するフィードバック情報を前記第３のチャネルを介して受信するステップと、
を具備することを特徴とするデータバースト送信支援方法。
【請求項２】
受信端が前記第２のチャネルを介してデータバーストを受信するステップと、
前記第２のチャネルを介して受信されたデータバーストに関するフィードバック情報を前記第２のチャネルに対応する前記第３のチャネルを介して送信するステップと、をさらに具備することを特徴とする請求項１に記載のデータバースト送信支援方法。
【請求項３】
前記少なくとも１つの領域は、時間及び周波数リソースにより決定されることを特徴とする請求項１に記載のデータバースト送信支援方法。
【請求項４】
前記フレームは、前記アップリンクサブフレームと前記ダウンリンクサブフレーム間の１８：２９のシンボル比率を有することを特徴とする請求項１に記載のデータバースト送信支援方法。
【請求項５】
前記フレームは、前記アップリンクサブフレームと前記ダウンリンクサブフレーム間の２４：２３のシンボル比率を有することを特徴とする請求項１に記載のデータバースト送信支援方法。
【請求項６】
前記フレームは、前記アップリンクサブフレームと前記ダウンリンクサブフレーム間の１２：３５のシンボル比率を有することを特徴とする請求項１に記載のデータバースト送信支援方法。
【請求項７】
移動通信システムにおける短レイテンシデータバースト送信支援方法であって、
フレームをアップリンクサブフレームとダウンリンクサブフレームとに区分し、前記アップリンクサブフレーム及び前記ダウンリンクサブフレームの各々は、短レイテンシを要求するデータバースト送信のための少なくとも１つの領域と短レイテンシを要求しないデータバースト送信のための領域とを含み、前記少なくとも１つの領域の各々は、データリソース割当を示すための第１のチャネル、データバーストが送信される第２のチャネル、及びフィードバック信号受信のための第３のチャネルの中の少なくとも１つを含み、
送信端が、送信されるデータが短レイテンシを要求するか否かに従って、前記少なくとも１つの領域及び前記短レイテンシを要求しないデータバースト送信のための領域の中の少なくとも１つを介して、送信されるデータバーストのリソース領域が提供されるか否かを決定するステップと、
前記送信端が前記少なくとも１つの領域を介して前記データバーストの送信を決定する場合に、前記少なくとも１つの領域のいずれか１つに含まれている前記第１のチャネルを用いて前記第２のチャネルの制御情報を示すステップと、
前記データバーストを前記第２のチャネルを介して送信するステップと、
前記第２のチャネルを介して送信された前記データバーストに関するフィードバック情報を、一定の間隔の後に前記第３のチャネルを介して受信するステップと、
を具備することを特徴とするデータバースト送信支援方法。
【請求項８】
前記制御情報を示すステップは、前記第２のチャネルの位置及びサイズの中の少なくとも１つを示すステップを具備することを特徴とする請求項７に記載のデータバースト送信支援方法。
【請求項９】
受信端が前記第２のチャネルを介してデータバーストを受信するステップと、
前記第２のチャネルを介して受信されたデータバーストに関するフィードバック情報を前記第３のチャネルを介して送信するステップと、をさらに具備することを特徴とする請求項７に記載のデータバースト送信支援方法。
【請求項１０】
前記少なくとも１つの領域及び前記短レイテンシを要求しないデータバースト送信のための領域の中の少なくとも１つは、時間多重化されることを特徴とする請求項７に記載のデータバースト送信支援方法。
【請求項１１】
前記少なくとも１つの領域及び前記短レイテンシを要求しないデータバースト送信のための領域の中の少なくとも１つは、周波数多重化されることを特徴とする請求項７に記載のデータバースト送信支援方法。
【請求項１２】
前記少なくとも１つの領域及び前記短レイテンシを要求しないデータバースト送信のための領域の中の少なくとも１つは、直交周波数分割多重接続（ＯＦＤＭＡ）の形態で構成されることを特徴とする請求項７に記載のデータバースト送信支援方法。
【請求項１３】
移動通信システムにおけるデータバースト送信方法であって、
フレームをアップリンクサブフレームとダウンリンクサブフレームとに区分するステップと、
前記アップリンクサブフレームを第１の個数の領域に区分し、前記ダウンリンクサブフレームを第２の個数の領域に区分し、前記第１の個数の領域及び前記第２の個数の領域の各々は、短レイテンシデータ送信のための少なくとも１つの領域を含み、前記少なくとも１つの領域の各々は、前記第１のチャネル、前記第２のチャネル、及び前記第３のチャネルを含むステップと、
前記第２のチャネルの情報を前記少なくとも１つの領域の中のいずれか１つに含まれている前記第１のチャネルを介して送信するステップと、
データバーストを前記第２のチャネルを介して送信するステップと、
フィードバック情報を前記第３のチャネルを介して受信するステップと、を具備することを特徴とするデータバースト送信方法。
【請求項１４】
前記フィードバック情報は、前記第２のチャネルを介して送信されたデータバーストに関する情報を具備することを特徴とする請求項１３に記載のデータバースト送信方法。
【請求項１５】
前記情報は、送信端により送信されることを特徴とする請求項１３に記載のデータバースト送信方法。
【請求項１６】
前記フレームをアップリンクサブフレームとダウンリンクサブフレームとに区分するステップは、
前記アップリンクサブフレーム対前記ダウンリンクサブフレームのサイズ比率に関する情報を受信するステップと、
前記受信されたサイズ比率情報に従って前記フレームを区分するステップと、を具備することを特徴とする請求項１３に記載のデータバースト送信方法。
【請求項１７】
前記アップリンクサブフレーム対前記ダウンリンクサブフレームのサイズ比率に関する情報を受信するステップは、ブロードキャスト信号から情報を受信するステップを具備することを特徴とする請求項１６に記載のデータバースト送信方法。
【請求項１８】
前記アップリンクサブフレームを前記第１の個数の領域に区分し、前記ダウンリンクサブフレームを前記第２の個数の領域に区分するステップは、
通信セルの状態を決定するステップと、
前記決定された情報に従って前記アップリンクサブフレーム及び前記ダウンリンクサブフレームを区分するステップと、を具備することを特徴とする請求項１３に記載のデータバースト送信方法。
【請求項１９】
前記第２のチャネルの情報を前記少なくとも１つの領域の中のいずれか１つに含まれている第１のチャネルを介して送信するステップは、前記第２のチャネルの位置及びサイズの中の少なくとも１つを送信するステップを具備することを特徴とする請求項１３に記載のデータバースト送信方法。
【請求項２０】
受信側が前記第２のチャネルを介して送信された前記データバーストを受信するステップと、
前記受信側が前記第３のチャネルを介して前記フィードバック情報を送信するステップと、を具備することを特徴とする請求項１３に記載のデータバースト送信方法。
【発明の詳細な説明】
【技術分野】
【０００１】
本発明は、移動通信システムに関し、特に、移動通信システムにおける短レイテンシデータ送信支援方法に関する。
【背景技術】
【０００２】
現在、移動通信システムは、ブロードキャスティングサービス、マルチメディア映像サービス、及びマルチメディアメッセージングサービスなどのような様々なサービスを支援するように発展している。特に、第４世代の移動通信システムは、音声及びパケットデータ通信における高速の移動ユーザに１００Ｍｂｐｓ以上のデータ送信速度を提供し、低速の移動ユーザに１Ｇｂｐｓ以上のデータサービスを提供するために開発されている。
【０００３】
一方、大部分の移動通信システムは、有限な周波数リソースを効率的に使用するために多重接続方式を考慮する。また、移動通信システムは、双方向接続を区分するための多重化方式を考慮する。すなわち、移動システムは、アップリンク接続とダウンリンク接続とを区別する。このような多重接続及び多重化を考慮する方式の中の１つが、時分割二重直交周波数分割多重接続（Time Division DuplexingOrthogonal Frequency Division Multiple Access：以下、“ＴＤＤ−ＯＦＤＭＡ”と称する。）方式である。
【０００４】
図１Ａ及び図１Ｂは、従来のＴＤＤ−ＯＦＤＭＡフレーム構成及び複数の領域を有するＴＤＤ−ＯＦＤＭＡフレーム構成を示す図である。
【０００５】
図１Ａを参照すると、ＴＤＤ−ＯＦＤＭＡフレームは、ダウンリンクサブフレームとアップリンクサブフレームとに区分され、送信／受信時間ギャップ（ＴＴＧ）は、２つのサブフレーム間に位置する。プリアンブルは、ダウンリンクサブフレームの１番目のシンボル間隔に位置し、制御情報は、ダウンリンクサブフレームのその後のシンボル間隔に位置する。制御情報は、フレーム制御ヘッダー（ＦＣＨ）、ダウンリンクメディアアクセスプロトコル（ＤＬ−ＭＡＰ）、及びアップリンクメディアアクセスプロトコル（ＵＬ−ＭＡＰ）を含む。
【０００６】
次いで、図１Ｂを参照すると、ダウンリンクサブフレーム及びアップリンクサブフレームの各々は、サブチャネル構成方式に従って複数の領域を含むことができる。
【０００７】
一方、移動通信システムにおいて、高速のデータを信頼性よく送信するためには、短レイテンシが要求される。例えば、リアルタイムサービスを提供しているボイスオーバーインターネットプロトコル（ＶｏＩＰ）サービスに、ハイブリッド自動再送要求（ＨＡＲＱ）を適用するために短レイテンシを要求することができる。しかしながら、すべてのパケットが短レイテンシを要求するのではない。ここで、レイテンシは、次の式（１）で示すことができる。
【０００８】
（数１）
レイテンシ＝初期送信時間＋再送信確率×再送信遅延
すなわち、レイテンシは、初期送信時間、再送信確率、及び再送信遅延により決定される。上述した式（１）において、短レイテンシを要求するパケットのためには、再送信確率又は再送信遅延を減少させなければならないことをわかる。
【０００９】
上述したように、短レイテンシを要求するパケットが存在することがある。したがって、このようなパケットを高速で送信するためには、短レイテンシを支援するフレームが存在しなければならない。また、短レイテンシを要求しないパケットと短レイテンシを要求するパケットとを同一のシステムで送信するためには、このような送信に対応するフレームが存在しなければならない。
【発明の概要】
【発明が解決しようとする課題】
【００１０】
したがって、本発明は、上述した従来技術の問題点を解決するために提案されたものであり、その目的は、移動通信システムにおける短レイテンシデータ送信支援方法を提供することにある。
【課題を解決するための手段】
【００１１】
上記のような目的を達成するために、本発明の実施形態の一態様によれば、移動通信システムにおける短レイテンシデータバースト送信支援方法を提供する。上記方法は、フレームをアップリンクサブフレームとダウンリンクサブフレームとに区分し、上記アップリンクサブフレーム及び上記ダウンリンクサブフレームの各々は、短レイテンシデータバースト送信のための少なくとも１つの領域を含み、上記少なくとも１つの領域の各々は、データリソース割当を示すための第１のチャネル、データバーストが送信される第２のチャネル、及びフィードバック信号受信のための第３のチャネルの中の少なくとも１つを含み、送信端が上記少なくとも１つの領域の中のいずれか１つの領域に含まれている上記第１のチャネルを用いて上記第２のチャネルの位置及びサイズを示すステップと、上記第２のチャネルを介してデータを送信するステップと、上記第２のチャネルを介して送信されたデータバーストに関するフィードバック情報を上記第３のチャネルを介して受信するステップとを具備することを特徴とする。
【００１２】
本発明の実施形態の他の態様によれば、移動通信システムにおける短レイテンシデータバースト送信支援方法を提供する。上記方法は、フレームをアップリンクサブフレームとダウンリンクサブフレームとに区分し、上記アップリンクサブフレーム及び上記ダウンリンクサブフレームの各々は、短レイテンシを要求するデータバースト送信のための少なくとも１つの領域と短レイテンシを要求しないデータバースト送信のための領域とを含み、上記少なくとも１つの領域の各々は、データリソース割当を示すための第１のチャネル、データバーストが送信される第２のチャネル、及びフィードバック信号受信のための第３のチャネルの中の少なくとも１つを含み、送信端が、送信されるデータが短レイテンシを要求するか否かに従って、上記少なくとも１つの領域及び上記短レイテンシを要求しないデータバースト送信のための領域の中の少なくとも１つを介して送信されるデータバーストのリソース領域が提供されるか否かを決定するステップと、上記送信端が上記少なくとも１つの領域を介して上記データバーストの送信を決定する場合に、上記少なくとも１つの領域のいずれか１つに含まれている上記第１のチャネルを用いて上記第２のチャネルの制御情報を示すステップと、上記データバーストを上記第２のチャネルを介して送信するステップと、上記第２のチャネルを介して送信された上記データバーストに関するフィードバック情報を一定の間隔の後に上記第３のチャネルを介して受信するステップとを具備することを特徴とする。
【発明の効果】
【００１３】
本発明の実施形態は、短レイテンシを要求するデータ及びサービスを処理することができる新たなチャネル及びフレーム構成を提供する。
【図面の簡単な説明】
【００１４】
【図１Ａ】従来のＴＤＤ−ＯＦＤＭＡフレーム構成及び複数の領域を有するＴＤＤ−ＯＦＤＭＡフレーム構成を示す図である。
【図１Ｂ】従来のＴＤＤ−ＯＦＤＭＡフレーム構成及び複数の領域を有するＴＤＤ−ＯＦＤＭＡフレーム構成を示す図である。
【図２】本発明の実施形態に従ってダウンリンクで短レイテンシデータバースト送信を支援するためのＴＤＤ−ＯＦＤＭＡフレーム構成を示す図である。
【図３】本発明の実施形態による２つの領域に区分されたサブフレームの様々な例を示す図である。
【図４】本発明の実施形態によるセル状態に基づいて相互に異なる比率でＳＬＺ及びｎｏｎ−ＳＬＺが構成されるフレーム構成を示す図である。
【図５】本発明の実施形態による複数の短レイテンシ領域を含むフレーム構成を示す図である。
【図６】本発明の実施形態によるフレーム構成を示す図である。
【図７】本発明の実施形態によるダウンリンクサブフレームとアップリンクサブフレーム間の様々なシンボル比率によるフレーム構成を示す図である。
【図８】本発明の実施形態による基地局が短レイテンシ領域を介して信号を送受信する手順を示すフローチャートである。
【発明を実施するための形態】
【００１５】
本発明の他の目的、利点、及び顕著な特徴は、添付の図面及び本発明の実施形態からなされた以下の詳細な説明から、この分野の熟練者に明確になるはずである。
【００１６】
添付の図面を参照した下記の説明は、特許請求の範囲の記載及びこれと均等なものの範囲内で定められるような本発明の実施形態の包括的な理解を助けるために提供されたものであり、この理解を助けるための様々な特定の詳細を含むが、ただ１つの実施形態にすぎない。したがって、本発明の範囲及び趣旨を逸脱することなく、ここに説明された実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１７】
本発明の実施形態は、移動通信システムにおいて、短レイテンシデータ送信を支援するための方法を提案する。このために、本発明の実施形態は、複数の領域を用いて短レイテンシデータバースト送信を支援する。また、本発明の実施形態は、既存のフレーム長さ及び構成と互換性を有する新たなフレーム構成を提案し、提案されたフレーム構成を用いて短レイテンシデータ送信を支援する方法について説明する。
【００１８】
短レイテンシデータ送信を支援するためには、本発明の実施形態による新たなフレームは、短レイテンシを支援する送信領域として少なくとも１つの領域を含む。ここで、このフレームは、時分割二重直交周波数分割多重接続（Time Division Duplexing-Orthogonal Frequency Division Multiple Access：以下、“ＴＤＤ−ＯＦＤＭＡ”と称する。）フレームとなることができる。本発明の実施形態において、下記のように新たに定義された領域は、短レイテンシ支援領域として使用される。下記の説明において、短レイテンシを支援する領域と厳格なレイテンシを要求する領域（すなわち、厳格なレイテンシ要求条件の支援を要求する領域）とを同一の意味で使用するようにし、短レイテンシを支援しない領域と柔軟なレイテンシを要求する領域（すなわち、柔軟なレイテンシ要求条件を支援する領域）とを同一の意味で使用するようにする。
【００１９】
１．短レイテンシ領域（ＳＬＺ）：同期式ハイブリッド自動再送要求（ＨＡＲＱ）方式が適用される場合に、１つの短レイテンシ領域を介してデータバーストが送信されると、このデータバーストは、短い送信間隔を有するために処理遅延及び再送信遅延を減少させることにより短レイテンシを得ることができる。この短レイテンシ領域は、アップリンク及びダウンリンクサブフレームの各々に存在する。この短レイテンシ領域は、短レイテンシを要求するデータに対して優先して使用され、リソースの効率的な活用の側面から、短レイテンシを要求しないデータに対しても使用されることができる。この短レイテンシ領域の運用のために、次のようなチャネルを定義する。また、１つのサブフレームは、少なくとも１つの短レイテンシ領域を含むことができる。
【００２０】
２．ダウンリンク短レイテンシ制御チャネル（Ｄ−ＳＬＣＣＨ）：短レイテンシ領域で使用されるダウンリンク制御チャネルを意味する。Ｄ−ＳＬＣＣＨは、データバースト割当情報及びフィードバックチャネル割当情報などのような制御情報を含む。この制御チャネルは、各短レイテンシ領域に位置することができる。
【００２１】
３．アップリンク短レイテンシ制御チャネル（Ｕ−ＳＬＣＣＨ）：短レイテンシ領域で使用されるアップリンク制御チャネルを意味する。この制御チャネルは、各短レイテンシ領域に位置することができる。
【００２２】
４．短レイテンシデータチャネル（Ｄ−ＳＬＤＣＨ）：短レイテンシ領域で使用されるダウンリンクデータチャネルを意味する。
【００２３】
５．アップリンク短レイテンシデータチャネル（Ｕ−ＳＬＤＣＨ）：短レイテンシ領域で使用されるアップリンクデータチャネルを意味する。
【００２４】
６．ダウンリンク短レイテンシフィードバックチャネル（Ｄ−ＳＬＦＣＨ）：短レイテンシ領域で使用されるダウンリンク制御チャネルを意味し、アップリンクデータに対するフィードバックチャネルに対応する。
【００２５】
７．アップリンク短レイテンシフィードバックチャネル（Ｕ−ＳＬＦＣＨ）：短レイテンシ領域で使用されるアップリンク制御チャネルを意味し、ダウンリンクデータに対するフィードバックチャネルに対応する。このチャネルは、論理チャネルである。
【００２６】
下記では、本発明の実施形態による短レイテンシデータバースト送信を達成する方法について説明する。
【００２７】
まず、１つのフレームは、複数のタイムスロットに区分される。図２は、このようなフレームの例をＴＤＤ方式で示す。ＴＤＤ方式の場合に、複数のタイムスロットは、ダウンリンクタイムスロット及びアップリンクタイムスロットを含む。ダウンリンクにおいて、短レイテンシ領域は、ダウンリンクサブフレーム内に位置し、この短レイテンシ領域を支援するための専用チャネルは、アップリンク及びダウンリンクサブフレームの各々に位置する。これについては、図２を参照してより詳細に説明する。
【００２８】
図２は、本発明の実施形態に従ってダウンリンクで短レイテンシデータバースト送信を支援するためのＴＤＤ−ＯＦＤＭＡフレーム構成を示す図である。
【００２９】
図２を参照すると、短レイテンシを支援するために、各サブフレームは、複数の時間領域ＤＬ１、ＤＬ２、ＤＬ３、ＵＬ１、ＵＬ２、ＵＬ３で構成され、少なくとも１つの短レイテンシ領域を含む。図２において、各サブフレームを３つの領域で構成し、１つの短レイテンシ領域を含む場合を示しており、これは、一例であるだけで、各サブフレームは、相互に異なる個数の領域、すなわち、３つの領域より大きいか又は小さい領域を含んでもよく、各サブフレームは、１つ以上の短レイテンシ領域を含んでもよい。ダウンリンクサブフレームは、Ｄ−ＳＬＣＣＨと、Ｄ−ＳＬＤＣＨと、Ｄ−ＳＬＦＣＨとを含む。また、アップリンクサブフレームは、Ｕ−ＳＬＦＣＨ及びＵ−ＳＬＤＣＨを含む。
【００３０】
ダウンリンクパケット送信において、Ｄ−ＳＬＣＣＨは、データバースト割当情報及び送信フォーマットを指示するのに使用される。Ｄ−ＳＬＤＣＨは、厳格なレイテンシ要求条件を有するデータバースト送信のために使用される。Ｕ−ＳＬＦＣＨは、Ｄ−ＳＬＤＣＨを介して送信されたパケットに応じたフィードバックのために使用される。ここで、フィードバックチャネルは、Ｄ−ＳＬＣＣＨを介して定義されるか又は指示されることができ、または、このフィードバックチャネルは、データが割り当てられる位置に従って予め定義されることができる。
【００３１】
アップリンクパケット送信において、制御情報は、短レイテンシを支援するために、ダウンリンクサブフレーム内のＤ−ＳＬＣＣＨを介して送信される。移動局は、割り当てられた領域内のＵ−ＳＬＤＣＨを介して短レイテンシを要求するデータバーストを送信する。基地局は、移動局からのデータを受信した後に、Ｄ−ＳＬＦＣＨを介してフィードバック信号を送信する。この短レイテンシ領域は、任意の時間領域又は任意の時間周波数リソースで構成される２次元バースト領域を含んでもよい。
【００３２】
上述したように、本発明の実施形態において、アップリンクサブフレーム又はダウンリンクサブフレームは、短レイテンシの支援を必要とするか又は短レイテンシの支援を希望するかに従って様々な領域に区分されることができる。すなわち、このアップリンクサブフレーム又はダウンリンクサブフレームは、短レイテンシを支援するための１つ又はそれ以上の領域、及び短レイテンシを支援しない１つ又はそれ以上の領域に区分されることができる。ここで、短レイテンシを支援する各領域及び短レイテンシを支援しない各領域は、時分割多重接続（ＴＤＭＡ）方式、周波数分割多重接続（ＦＤＭＡ）方式、及び直交周波数分割多重接続（ＯＦＤＭＡ）方式に区分されることができる。
【００３３】
短レイテンシを支援する領域は、ＨＡＲＱを支援するパケット、良好な状態のチャネルを通過するパケット、又は一定のサイズのエンコーディングパケットなどにより使用されることができる。短レイテンシを支援しない領域は、ＨＡＲＱを支援しないパケット、良好でない状態のチャネルを通過するパケット、又は大きいサイズのエンコーディングパケットなどにより使用されることができる。このように、短レイテンシを支援する領域及び短レイテンシを支援しない領域が同一のフレームに共存する場合に、このフレームは、時間又は周波数で多重化されることができる。
【００３４】
この多重化されたフレームでの各領域のサイズは、サービスされる送信容量に従って可変される。例えば、第１のシステムが要求する送信容量と第２のシステムが要求する送信容量とを比較し、送信容量を大きく要求するシステムにより大きいサイズの領域を割り当てることができる。もちろん、第１のシステム及び第２のシステムは、異種システムであってもよく、同種システムであってもよい。第１のシステム及び第２のシステムが同種システムである場合に、パケットタイプ（サービスタイプ）及びチャネル状態を考慮して、フレームは、複数の領域に区分されることができ、この複数の領域は、多重化されることができる。
【００３５】
図３は、本発明の実施形態による２つの領域に区分されたサブフレームの様々な例を示す図である。
【００３６】
図３を参照すると、このサブフレームは、アップリンクサブフレームであってもよく、ダウンリンクサブフレームであってもよい。この２つの領域の中の１つは、短レイテンシを支援する領域であり、他の１つは、短レイテンシを支援しない領域である。図面において、短レイテンシを支援する領域を“ＳＬＺ”で示し、短レイテンシを支援しない領域を“ｎｏｎ−ＳＬＺ”で示す。
【００３７】
参照符号“３００”は、ＳＬＺ及びｎｏｎ−ＳＬＺで構成された１つのサブフレームを示す。また、サブフレーム３００は、ＳＬＺ又はｎｏｎ−ＳＬＺのみで構成されることができる。
【００３８】
参照符号“３１０”は、１つのサブフレーム３００がＳＬＺ及びｎｏｎ−ＳＬＺで構成される場合の例を示す。また、３１０で示すようなＳＬＺは、３つの短レイテンシ領域を含む。上述したように、１つのフレーム内で厳格なレイテンシ要求条件を支援する領域のサイズ及び個数は、セル状況に従って様々に決定されることができる。
【００３９】
参照符号“３２０”乃至“３４０”は、短レイテンシを支援するために複数の領域を含む例を示し、これは、セル又は他の状況又は必要に応じて物理チャネルに様々にマッピングされる。参照符号“３２０”は、各ＳＬＺ及びｎｏｎ−ＳＬＺが時間多重化される例を示す。この短レイテンシ領域は、このサブフレーム内で任意の位置にマッピングされることができることを示す。
【００４０】
参照符号“３３０”は、各ＳＬＺが時間多重化され、ＳＬＺ及びｎｏｎ−ＳＬＺが周波数多重化される例を示す。また、図示していないが、各ＳＬＺは、相互に異なるサイズを有してもよい。
【００４１】
参照符号“３４０”は、ＳＬＺ及びｎｏｎ−ＳＬＺを構成する任意の短レイテンシ領域が時間多重化され、任意の短レイテンシ領域及びｎｏｎ−ＳＬＺが周波数多重化される例を示す。
【００４２】
図４は、本発明の実施形態によるセル状態に基づいて相互に異なる比率でＳＬＺ及びｎｏｎ−ＳＬＺが構成されるフレーム構成を示す図である。
【００４３】
図４を参照すると、フレームは、ダウンリンクサブフレームとアップリンクサブフレームとに区分され、ダウンリンクサブフレーム及びアップリンクサブフレームの各々は、ＳＬＺ及びｎｏｎ−ＳＬＺを含む。一例として、ダウンリンクサブフレームとアップリンクサブフレーム間のサイズ比率は、５：３である。
【００４４】
参照符号“４００”は、ｎｏｎ−ＳＬＺとＳＬＺ間のサイズ比率４：１を含むダウンリンクサブフレーム及びｎｏｎ−ＳＬＺとＳＬＺ間のサイズ比率２：１を含むアップリンクサブフレームを示す。
【００４５】
参照符号“４１０”は、ｎｏｎ−ＳＬＺとＳＬＺ間のサイズ比率３：２を含むダウンリンクサブフレーム及びｎｏｎ−ＳＬＺとＳＬＺ間のサイズ比率２：１を含むアップリンクサブフレームを示す。
【００４６】
参照符号“４２０”は、ｎｏｎ−ＳＬＺとＳＬＺ間のサイズ比率２：３を含むダウンリンクサブフレーム及びｎｏｎ−ＳＬＺとＳＬＺ間のサイズ比率１：２を含むアップリンクサブフレームを示す。
【００４７】
参照符号“４３０”は、ｎｏｎ−ＳＬＺとＳＬＺ間のサイズ比率１：４を含むダウンリンクサブフレーム及びｎｏｎ−ＳＬＺとＳＬＺ間のサイズ比率１：２を含むアップリンクサブフレームを示す。
【００４８】
参照符号“４４０”は、ダウンリンクサブフレーム及びアップリンクサブフレームの両方が短レイテンシを支援しない領域だけを含む場合を示す。
【００４９】
参照符号“４５０”は、ダウンリンクサブフレームでｎｏｎ−ＳＬＺ及びＳＬＺが時間多重化され、アップリンクサブフレームでｎｏｎ−ＳＬＺ及びＳＬＺが周波数多重化されることを示す。２つの領域間のサイズ比率は、様々に設定されることができる。
【００５０】
アップリンクサブフレームとダウンリンクサブフレーム間のサイズ比率に関する情報は、ブロードキャストチャネルを介して移動局に提供されることができる。また、短レイテンシを提供するか否かに関する情報、短レイテンシ領域の個数、及び各短レイテンシ領域の位置及びサイズ情報は、このブロードキャストチャネルを介して移動局に提供されることができる。例えば、参照符号“４００”で示すダウンリンクサブフレームにおいて、この短レイテンシ領域は、ｎｏｎ−ＳＬＺ（３ｘ）が終了する地点で開始される。すなわち、基地局は、ブロードキャストチャネルを介して、１つの間隔（ｘ）にわたった短レイテンシ領域がｎｏｎ−ＳＬＺが終了する地点で開始されることを移動局に通知する。
【００５１】
このブロードキャストチャネルは、各フレームに含まれてもよく、又は一定のサイクルのフレームに含まれてもよい。すなわち、移動局は、プリアンブルを使用して基地局と同期を取得した後に、このブロードキャストチャネルを介して提供された情報を用いてフレーム構成を認識する。図４は、フレームがセル状況に応じて時間多重化されることを一例に示しているが、図３に示すように、様々な形態で多重化されることができることはもちろんである。また、厳格なレイテンシを支援する領域のサイズ及び個数に影響を及ぼすセル状況は、セルカバレッジ、リンクコスト、処理率、及び任意のシステムへの移動などを含む。
【００５２】
図５は、本発明の実施形態による複数の短レイテンシ領域を含むフレーム構成を示す図である。
【００５３】
図５を参照すると、フレームは、ダウンリンクサブフレームとアップリンクサブフレームとに区分され、ダウンリンクサブフレームとアップリンクサブフレーム間のシンボル比率は、２９：１８である。ダウンリンクサブフレームは、５つの短レイテンシ領域を含み、アップリンクサブフレームは、３つの短レイテンシ領域を含む。図５の例において、ダウンリンクサブフレームでの５つの短レイテンシ領域は、順にＤＬ１ ５００、ＤＬ２ ５１０、ＤＬ３ ５２０、ＤＬ４ ５３０、及びＤＬ５ ５４０であり、アップリンクサブフレームでの３つの短レイテンシ領域は、順にＵＬ１ ５５０、ＵＬ２ ５６０、及びＵＬ３ ５７０である。
【００５４】
ダウンリンク送信で短レイテンシを支援するパケットは、次のように割り当てられ、（再）送信され、フィードバックされる。
【００５５】
受信端は、送信端がＤＬ１ ５００で送信したパケットに対するフィードバックをＵＬ１ ５５０の肯定応答／否定応答（ＡＣＫ／ＮＡＣＫ＿ＤＬ１）チャネルを介して送信端に送信する。送信端は、受信端からのフィードバックに従って次のフレームのＤＬ１でパケットを送信するか又は再送信する。
【００５６】
受信端は、送信端がＤＬ２ ５１０で送信したパケットに対するフィードバックをＵＬ１ ５５０のＡＣＫ／ＮＡＣＫ＿ＤＬ２チャネルを介して送信端に送信する。送信端は、受信端からのフィードバックに従って次のフレームのＤＬ２でパケットを送信するか又は再送信する。
【００５７】
受信端は、送信端がＤＬ３ ５２０で送信したパケットに対するフィードバックをＵＬ２ ５６０のＡＣＫ／ＮＡＣＫ＿ＤＬ３チャネルを介して送信端に送信する。送信端は、受信端からのフィードバックに従って次のフレームのＤＬ３でパケットを送信するか又は再送信する。
【００５８】
受信端は、送信端がＤＬ４ ５３０で送信したパケットに対するフィードバックをＵＬ２ ５６０のＡＣＫ／ＮＡＣＫ＿ＤＬ４チャネルを介して送信端に送信する。送信端は、受信端からのフィードバックに従って次のフレームのＤＬ４でパケットを送信するか又は再送信する。
【００５９】
受信端は、送信端がＤＬ５ ５４０で送信したパケットに対するフィードバックをＵＬ３ ５７０のＡＣＫ／ＮＡＣＫ＿ＤＬ５チャネルを介して送信端に送信する。送信端は、受信端からのフィードバックに従って次のフレームのＤＬ５でパケットを送信するか又は再送信する。
【００６０】
アップリンク送信で短レイテンシを支援するパケットは、次のように割り当てられ、（再）送信され、フィードバックされる。
【００６１】
ＵＬ１ ５５０で送信されたパケットに対して、この送信されたパケットに関する割当情報は、ＤＬ２ ５１０のＡｓｓｉｇｎｍｅｎｔ＿ＵＬ１チャネルを介して示され、この送信されたパケットに関するフィードバック情報は、次のフレームのＤＬ２ ５１０のＡＣＫ／ＮＡＣＫ＿ＵＬ１チャネルを介して提供される。
【００６２】
ＵＬ２ ５６０で送信されたパケットに対して、この送信されたパケットに関する割当情報は、ＤＬ３ ５２０のＡｓｓｉｇｎｍｅｎｔ＿ＵＬ２チャネルを介して示され、この送信されたパケットに関するフィードバック情報は、次のフレームのＤＬ３ ５２０のＡＣＫ／ＮＡＣＫ＿ＵＬ２チャネルを介して提供される。
【００６３】
ＵＬ３ ５７０で送信されたパケットに対して、この送信されたパケットに関する割当情報は、ＤＬ４ ５３０のＡｓｓｉｇｎｍｅｎｔ＿ＵＬ３チャネルを介して示され、この送信されたパケットに関するフィードバック情報は、次のフレームのＤＬ４ ５３０のＡＣＫ／ＮＡＣＫ＿ＵＬ３チャネルを介して提供される。上記の説明において、様々な送受信処理時間は、各パケット送信に従って考慮されることができ、各短レイテンシ領域でのパケット送信は、一定の再送信サイクルで行われる。
【００６４】
上記のように、処理遅延時間を考慮して、ダウンリンクサブフレームとアップリンクサブフレーム間で相互に対応する厳格なレイテンシ要求条件を支援する領域間には、この厳格なレイテンシ要求条件を支援する領域の長さより大きいか又は同一の遅延が存在する。
【００６５】
図６は、本発明の実施形態によるフレーム構成を示す図である。
【００６６】
図６を参照すると、フレームは、ダウンリンクサブフレームとアップリンクサブフレームとに区分され、ダウンリンクサブフレームは、５つの短レイテンシ領域を含み、アップリンクサブフレームは、３つの短レイテンシ領域を含む。
【００６７】
図６において、柔軟なレイテンシを要求する領域及び厳格なレイテンシを要求する領域は、時間及び周波数領域にわたってＯＦＤＭＡ方式で提供される。ここで、柔軟なレイテンシを要求する領域は、データが少なくとも２つのＳＬＺを介して送信されるか又は受信される領域を意味し、図６のフレームにおいて、ＤＬ６及びＤＬ７が、このような領域に対応する。厳格なレイテンシを要求する領域は、データが１つのＳＬＺを介して送信されるか又は受信される領域を意味する。柔軟なレイテンシを要求するデータが一定の間隔内で、すなわち、一定の個数のＳＬＺを介して送信されると、短レイテンシ要求条件に従うフィードバックを受信することができる。したがって、柔軟なレイテンシを要求する領域でのデータバースト送信又はデータバースト受信も短レイテンシを満足させることができる。
【００６８】
例えば、ＤＬ６を介したデータバースト送信のために必要なリソース割当は、ＤＬ６が開始するＤＬ１領域内のＡｓｓｉｇｎｍｅｎｔ＿ＤＬ６を介して示され、これに対するフィードバックは、アップリンクサブフレーム内のＵＬ１のＡＣＫ／ＮＡＣＫ＿ＤＬ６を介して提供されることができる。また、これに対するデータバースト（再）送信は、次のフレームのＤＬ６で行われることができる。ＤＬ６でのデータバースト送信は、柔軟なレイテンシを要求する領域で提供されるが、短レイテンシ要件を満足させることができる。ＤＬ７を介して送信されたパケットに対するフィードバックは、少なくとも１つのフレームが通った後のアップリンクサブフレーム間隔を介してなされる。例えば、このフィードバックは、図６のＵＬ３の位置に対応することにより少なくとも１つのフレームが通った後のＵＬ３で行われることができる。この後に、このフィードバックの結果によるデータ送信又は再送信は、一定の遅延後のＤＬ７を介して行われる。
【００６９】
上述したように、本発明の実施形態は、１つのフレーム構成内で相互に異なる再送信遅延を有するデータ送信を支援することができる。
【００７０】
ＵＬ４を介して送信されたパケットに対するフィードバックは、次のフレームのＤＬ３に位置したＡＣＫ／ＮＡＣＫ_ＵＬ４を介してなされる。この場合、１つの短レイテンシ領域のサイズより大きいか又は同一の長さを有するパケットも次のダウンリンクサブフレームでフィードバックされ、このフィードバックは、次のアップリンクサブフレームでパケット再送信（送信）を可能にするため、フレーム長さだけの再送信遅延を介して短レイテンシを支援することができる。
【００７１】
一方、ダウンリンクサブフレームとアップリンクサブフレーム間のシンボル比率が２９：１８であるフレームを考慮した場合に、このダウンリンクサブフレームは、５個のシンボルで構成された１番目の短レイテンシ領域と、６個のシンボルでそれぞれ構成された４つの短レイテンシ領域とを含むことができる。また、このアップリンクサブフレームは、６個のシンボルでそれぞれ構成された３つの短レイテンシ領域を含むことができる。
【００７２】
図７は、本発明の実施形態によるダウンリンクサブフレームとアップリンクサブフレーム間の様々なシンボル比率によるフレーム構成を示す図である。
【００７３】
図７を参照すると、２９：１８、２３：２４、及び３５：１２などのようなフレームのダウンリンクサブフレームとアップリンクサブフレーム間の様々なシンボル比率は、システム実現に従って様々になされることができる。図７を参照すると、１つの短レイテンシ領域に基づいて様々なＴＤＤ比率を支援することができることをわかる。
【００７４】
ダウンリンクサブフレームとアップリンクサブフレーム間のシンボル比率が２９：１８である場合に、ダウンリンクサブフレームにおいて、領域＃０は、５個のシンボルで構成されることができ、領域＃１、領域＃２、領域＃３、及び領域＃４の各々は、６個のシンボルで構成されることができる。また、アップリンクサブフレームにおいて、領域＃５、領域＃６、及び領域＃７の各々は、６個のシンボルで構成されることができる。
【００７５】
ダウンリンクサブフレームとアップリンクサブフレーム間のシンボル比率が２３：２４である場合に、ダウンリンクサブフレームにおいて、領域＃０は、５個のシンボルで構成されることができ、領域＃１、領域＃２、及び領域＃３の各々は、６個のシンボルで構成されることができる。また、アップリンクサブフレームにおいて、領域＃４、領域＃５、領域＃６、及び領域＃７の各々は、６個のシンボルで構成されることができる。
【００７６】
ダウンリンクサブフレームとアップリンクサブフレーム間のシンボル比率が３５：１２である場合に、ダウンリンクサブフレームにおいて、領域＃０は、５個のシンボルで構成されることができ、領域＃１、領域＃２、領域＃３、領域＃４、及び領域＃５の各々は、６個のシンボルで構成されることができる。また、アップリンクサブフレームにおいて、領域＃６及び領域＃７の各々は、６個のシンボルで構成されることができる。
【００７７】
図８は、本発明の実施形態による基地局が短レイテンシ領域を介して信号を送受信する手順を示すフローチャートである。
【００７８】
図８を参照すると、ステップ８０２で、基地局は、通信環境を考慮してダウンリンクサブフレーム及びアップリンクサブフレームを複数の領域に区分する。ステップ８０４で、基地局は、この区分された複数の領域の中の特定の領域を少なくとも１つの短レイテンシ領域として構成する。ステップ８０６で、基地局は、この短レイテンシ領域を介して信号を送受信する。
【００７９】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【図１Ａ】
2010526510.tif 000003
【図１Ｂ】
2010526510.tif 000004
【図２】
2010526510.tif 000005
【図３】
2010526510.tif 000006
【図４】
2010526510.tif 000007
【図５】
2010526510.tif 000008
【図６】
2010526510.tif 000009
【図７】
2010526510.tif 000010
【図８】
2010526510.tif 000011
【手続補正書】
【提出日】平成21年11月9日(2009.11.9)
【手続補正１】
【補正対象書類名】明細書
【補正対象項目名】全文
【補正方法】変更
【補正の内容】
【発明の詳細な説明】
【技術分野】
【０００１】
本発明は、移動通信システムにおけるフレーム送受信方法に関する。
【背景技術】
【０００２】
現在、移動通信システムは、ブロードキャスティングサービス、マルチメディア映像サービス、及びマルチメディアメッセージングサービスなどのような様々なサービスを支援するように発展している。特に、第４世代の移動通信システムは、音声及びパケットデータ通信における高速の移動ユーザに１００Ｍｂｐｓ以上のデータ送信速度を提供し、低速の移動ユーザに１Ｇｂｐｓ以上のデータサービスを提供するために開発されている。
【０００３】
一方、大部分の移動通信システムは、有限な周波数リソースを効率的に使用するために多重接続方式を考慮する。また、移動通信システムは、双方向接続を区分するための多重化方式を考慮する。すなわち、移動システムは、アップリンク接続とダウンリンク接続とを区別する。このような多重接続及び多重化を考慮する方式の中の１つが、時分割二重直交周波数分割多重接続（Time Division DuplexingOrthogonal Frequency Division Multiple Access：以下、“ＴＤＤ−ＯＦＤＭＡ”と称する。）方式である。
【０００４】
図１Ａ及び図１Ｂは、従来のＴＤＤ−ＯＦＤＭＡフレーム構成及び複数の領域を有するＴＤＤ−ＯＦＤＭＡフレーム構成を示す図である。
【０００５】
図１Ａを参照すると、ＴＤＤ−ＯＦＤＭＡフレームは、ダウンリンクサブフレームとアップリンクサブフレームとに区分され、送信／受信時間ギャップ（ＴＴＧ）は、２つのサブフレーム間に位置する。プリアンブルは、ダウンリンクサブフレームの１番目のシンボル間隔に位置し、制御情報は、ダウンリンクサブフレームのその後のシンボル間隔に位置する。制御情報は、フレーム制御ヘッダー（ＦＣＨ）、ダウンリンクメディアアクセスプロトコル（ＤＬ−ＭＡＰ）、及びアップリンクメディアアクセスプロトコル（ＵＬ−ＭＡＰ）を含む。
【０００６】
次いで、図１Ｂを参照すると、ダウンリンクサブフレーム及びアップリンクサブフレームの各々は、サブチャネル構成方式に従って複数の領域を含むことができる。
【０００７】
一方、移動通信システムにおいて、高速のデータを信頼性よく送信するためには、短レイテンシが要求される。ここで、短レイテンシとは、予め設定されているしきいレイテンシ未満のレイテンシを示す。例えば、リアルタイムサービスを提供しているボイスオーバーインターネットプロトコル（ＶｏＩＰ）サービスに、ハイブリッド自動再送要求（ＨＡＲＱ）を適用するために短レイテンシを要求することができる。しかしながら、すべてのパケットが短レイテンシを要求するのではない。ここで、レイテンシは、次の式（１）で示すことができる。
【０００８】
（数１）
レイテンシ＝初期送信時間＋再送信確率×再送信遅延
すなわち、レイテンシは、初期送信時間、再送信確率、及び再送信遅延により決定される。上述した式（１）において、短レイテンシを要求するパケットのためには、再送信確率又は再送信遅延を減少させなければならないことをわかる。
【０００９】
上述したように、短レイテンシを要求するパケットが存在することがある。したがって、このようなパケットを高速で送信するためには、短レイテンシを支援するフレームが存在しなければならない。また、短レイテンシを要求しないパケットと短レイテンシを要求するパケットとを同一のシステムで送信するためには、このような送信に対応するフレームが存在しなければならない。
【発明の概要】
【発明が解決しようとする課題】
【００１０】
したがって、本発明は、上述した従来技術の問題点を解決するために提案されたものであり、その目的は、移動通信システムにおける短レイテンシデータ送信支援方法を提供することにある。
本発明の他の目的は、移動通信システムにおけるフレーム送受信方法を提供することにある。
【課題を解決するための手段】
【００１１】
上記のような目的を達成するために、本発明の実施形態の一態様によれば、移動通信システムにおける基地局がフレームを送信する方法を提案する。上記方法は、フレームを送信するステップを具備し、上記フレームは、少なくとも１個のアップリンクアドバンストエアーインターフェース（ＡＡＩ）フレームと少なくとも１個のダウンリンクＡＡＩフレームとを含み、上記アップリンクＡＡＩフレームは、少なくとも１個のアップリンクＡＡＩサブフレームを含み、上記ダウンリンクＡＡＩフレームは、少なくとも１個のダウンリンクＡＡＩサブフレームを含み、上記ダウンリンクＡＡＩサブフレームは、リソース割当情報と、フィードバック情報と、データとを含み、上記アップリンクＡＡＩサブフレームは、フィードバック情報と、データとを含むことを特徴とする。
【００１２】
本発明の実施形態の他の態様によれば、移動通信システムにおける移動局がフレームを受信する方法を提案する。上記方法は、フレームを受信するステップを具備し、上記フレームは、少なくとも１個のアップリンクアドバンストエアーインターフェース（ＡＡＩ）フレームと少なくとも１個のダウンリンクＡＡＩフレームとを含み、上記アップリンクＡＡＩフレームは、少なくとも１個のアップリンクＡＡＩサブフレームを含み、上記ダウンリンクＡＡＩフレームは、少なくとも１個のダウンリンクＡＡＩサブフレームを含み、上記ダウンリンクＡＡＩサブフレームは、リソース割当情報と、フィードバック情報と、データとを含み、上記アップリンクＡＡＩサブフレームは、フィードバック情報と、データとを含むことを特徴とする。
【発明の効果】
【００１３】
本発明の実施形態は、短レイテンシを要求するデータ及びサービスを処理することができる新たなチャネル及びフレーム構成を提供する。
【図面の簡単な説明】
【００１４】
【図１Ａ】従来のＴＤＤ−ＯＦＤＭＡフレーム構成及び複数の領域を有するＴＤＤ−ＯＦＤＭＡフレーム構成を示す図である。
【図１Ｂ】従来のＴＤＤ−ＯＦＤＭＡフレーム構成及び複数の領域を有するＴＤＤ−ＯＦＤＭＡフレーム構成を示す図である。
【図２】本発明の実施形態に従ってダウンリンクで短レイテンシデータバースト送信を支援するためのＴＤＤ−ＯＦＤＭＡフレーム構成を示す図である。
【図３】本発明の実施形態による２つの領域に区分されたサブフレームの様々な例を示す図である。
【図４】本発明の実施形態によるセル状態に基づいて相互に異なる比率でＳＬＺ及びｎｏｎ−ＳＬＺが構成されるフレーム構成を示す図である。
【図５】本発明の実施形態による複数の短レイテンシ領域を含むフレーム構成を示す図である。
【図６】本発明の実施形態によるフレーム構成を示す図である。
【図７】本発明の実施形態によるダウンリンクサブフレームとアップリンクサブフレーム間の様々なシンボル比率によるフレーム構成を示す図である。
【図８】本発明の実施形態による基地局が短レイテンシ領域を介して信号を送受信する手順を示すフローチャートである。
【発明を実施するための形態】
【００１５】
本発明の他の目的、利点、及び顕著な特徴は、添付の図面及び本発明の実施形態からなされた以下の詳細な説明から、この分野の熟練者に明確になるはずである。
【００１６】
添付の図面を参照した下記の説明は、特許請求の範囲の記載及びこれと均等なものの範囲内で定められるような本発明の実施形態の包括的な理解を助けるために提供されたものであり、この理解を助けるための様々な特定の詳細を含むが、ただ１つの実施形態にすぎない。したがって、本発明の範囲及び趣旨を逸脱することなく、ここに説明された実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１７】
本発明の実施形態は、移動通信システムにおいて、短レイテンシデータ送信を支援するための方法を提案する。このために、本発明の実施形態は、複数の領域を用いて短レイテンシデータバースト送信を支援する。また、本発明の実施形態は、既存のフレーム長さ及び構成と互換性を有する新たなフレーム構成を提案し、提案されたフレーム構成を用いて短レイテンシデータ送信を支援する方法について説明する。
【００１８】
短レイテンシデータ送信を支援するためには、本発明の実施形態によるフレームは、短レイテンシを支援する送信領域として少なくとも１つの領域を含む。この領域は、‘アドバンストエアーインターフェース（Advanced Air Interface：以下、“ＡＡＩ”と称する。）サブフレーム’とも呼ばれる。ここで、このフレームは、時分割二重直交周波数分割多重接続（Time Division Duplexing-Orthogonal Frequency Division Multiple Access：以下、“ＴＤＤ−ＯＦＤＭＡ”と称する。）フレームとなることができる。本発明の実施形態において、下記のように新たに定義された領域は、短レイテンシ支援領域として使用される。下記の説明において、短レイテンシを支援する領域と厳格なレイテンシを要求する領域（すなわち、厳格なレイテンシ要求条件の支援を要求する領域）とを同一の意味で使用するようにし、短レイテンシを支援しない領域と柔軟なレイテンシを要求する領域（すなわち、柔軟なレイテンシ要求条件を支援する領域）とを同一の意味で使用するようにする。
【００１９】
１．短レイテンシ領域（ＳＬＺ）：同期式ハイブリッド自動再送要求（ＨＡＲＱ）方式が適用される場合に、１つの短レイテンシ領域を介してデータバーストが送信されると、このデータバーストは、短い送信間隔を有するために処理遅延及び再送信遅延を減少させることにより短レイテンシを得ることができる。この短レイテンシ領域は、アップリンク及びダウンリンクサブフレームの各々に存在する。この短レイテンシ領域は、短レイテンシを要求するデータに対して優先して使用され、リソースの効率的な活用の側面から、短レイテンシを要求しないデータに対しても使用されることができる。この短レイテンシ領域の運用のために、次のようなチャネルを定義する。また、１つのサブフレームは、少なくとも１つの短レイテンシ領域を含むことができる。
【００２０】
２．ダウンリンク短レイテンシ制御チャネル（Ｄ−ＳＬＣＣＨ）：短レイテンシ領域で使用されるダウンリンク制御チャネルを意味する。Ｄ−ＳＬＣＣＨは、データバースト割当情報及びフィードバックチャネル割当情報などのような制御情報を含む。この制御チャネルは、各短レイテンシ領域に位置することができる。
【００２１】
３．アップリンク短レイテンシ制御チャネル（Ｕ−ＳＬＣＣＨ）：短レイテンシ領域で使用されるアップリンク制御チャネルを意味する。この制御チャネルは、各短レイテンシ領域に位置することができる。
【００２２】
４．短レイテンシデータチャネル（Ｄ−ＳＬＤＣＨ）：短レイテンシ領域で使用されるダウンリンクデータチャネルを意味する。
【００２３】
５．アップリンク短レイテンシデータチャネル（Ｕ−ＳＬＤＣＨ）：短レイテンシ領域で使用されるアップリンクデータチャネルを意味する。
【００２４】
６．ダウンリンク短レイテンシフィードバックチャネル（Ｄ−ＳＬＦＣＨ）：短レイテンシ領域で使用されるダウンリンク制御チャネルを意味し、アップリンクデータに対するフィードバックチャネルに対応する。
【００２５】
７．アップリンク短レイテンシフィードバックチャネル（Ｕ−ＳＬＦＣＨ）：短レイテンシ領域で使用されるアップリンク制御チャネルを意味し、ダウンリンクデータに対するフィードバックチャネルに対応する。このチャネルは、論理チャネルである。
【００２６】
下記では、本発明の実施形態による短レイテンシデータバースト送信を達成する方法について説明する。
【００２７】
まず、１つのフレームは、複数のタイムスロットに区分される。図２は、このようなフレームの例をＴＤＤ方式で示す。ＴＤＤ方式の場合に、複数のタイムスロットは、ダウンリンクタイムスロット及びアップリンクタイムスロットを含む。ダウンリンクにおいて、短レイテンシ領域は、ダウンリンクフレーム内に位置し、この短レイテンシ領域を支援するための専用チャネルは、アップリンク及びダウンリンクフレームの各々に位置する。これについては、図２を参照してより詳細に説明する。
【００２８】
図２は、本発明の実施形態に従ってダウンリンクで短レイテンシデータバースト送信を支援するためのＴＤＤ−ＯＦＤＭＡフレーム構成を示す図である。
【００２９】
図２を参照すると、短レイテンシを支援するために、各フレームは、複数の時間領域ＤＬ１、ＤＬ２、ＤＬ３、ＵＬ１、ＵＬ２、ＵＬ３で構成され、少なくとも１つの短レイテンシ領域を含む。図２において、各フレームを３つの領域で構成し、１つの短レイテンシ領域を含む場合を示しており、これは、一例であるだけで、各フレームは、相互に異なる個数の領域、すなわち、３つの領域より大きいか又は小さい領域を含んでもよく、各フレームは、１つ以上の短レイテンシ領域を含んでもよい。ダウンリンクフレームは、Ｄ−ＳＬＣＣＨと、Ｄ−ＳＬＤＣＨと、Ｄ−ＳＬＦＣＨとを含む。また、アップリンクフレームは、Ｕ−ＳＬＦＣＨ及びＵ−ＳＬＤＣＨを含む。
【００３０】
ダウンリンクパケット送信において、Ｄ−ＳＬＣＣＨは、データバースト割当情報及び送信フォーマットを指示するのに使用される。Ｄ−ＳＬＤＣＨは、厳格なレイテンシ要求条件を有するデータバースト送信のために使用される。Ｕ−ＳＬＦＣＨは、Ｄ−ＳＬＤＣＨを介して送信されたパケットに応じたフィードバックのために使用される。ここで、フィードバックチャネルは、Ｄ−ＳＬＣＣＨを介して定義されるか又は指示されることができ、または、このフィードバックチャネルは、データが割り当てられる位置に従って予め定義されることができる。
【００３１】
アップリンクパケット送信において、制御情報は、短レイテンシを支援するために、ダウンリンクフレーム内のＤ−ＳＬＣＣＨを介して送信される。移動局は、割り当てられた領域内のＵ−ＳＬＤＣＨを介して短レイテンシを要求するデータバーストを送信する。基地局は、移動局からのデータを受信した後に、Ｄ−ＳＬＦＣＨを介してフィードバック信号を送信する。この短レイテンシ領域は、任意の時間領域又は任意の時間周波数リソースで構成される２次元バースト領域を含んでもよい。
【００３２】
上述したように、本発明の実施形態において、アップリンクフレーム又はダウンリンクフレームは、短レイテンシの支援を必要とするか又は短レイテンシの支援を希望するかに従って様々な領域に区分されることができる。すなわち、このアップリンクフレーム又はダウンリンクフレームは、短レイテンシを支援するための１つ又はそれ以上の領域、及び短レイテンシを支援しない１つ又はそれ以上の領域に区分されることができる。ここで、短レイテンシを支援する各領域及び短レイテンシを支援しない各領域は、時分割多重接続（ＴＤＭＡ）方式、周波数分割多重接続（ＦＤＭＡ）方式、及び直交周波数分割多重接続（ＯＦＤＭＡ）方式に区分されることができる。
【００３３】
短レイテンシを支援する領域は、ＨＡＲＱを支援するパケット、良好な状態のチャネルを通過するパケット、又は一定のサイズのエンコーディングパケットなどにより使用されることができる。短レイテンシを支援しない領域は、ＨＡＲＱを支援しないパケット、良好でない状態のチャネルを通過するパケット、又は大きいサイズのエンコーディングパケットなどにより使用されることができる。このように、短レイテンシを支援する領域及び短レイテンシを支援しない領域が同一のフレームに共存する場合に、このフレームは、時間又は周波数で多重化されることができる。
【００３４】
この多重化されたフレームでの各領域のサイズは、サービスされる送信容量に従って可変される。例えば、第１のシステムが要求する送信容量と第２のシステムが要求する送信容量とを比較し、送信容量を大きく要求するシステムにより大きいサイズの領域を割り当てることができる。もちろん、第１のシステム及び第２のシステムは、異種システムであってもよく、同種システムであってもよい。第１のシステム及び第２のシステムが同種システムである場合に、パケットタイプ（サービスタイプ）及びチャネル状態を考慮して、フレームは、複数の領域に区分されることができ、この複数の領域は、多重化されることができる。
【００３５】
図３は、本発明の実施形態による２つの領域に区分されたフレームの様々な例を示す図である。
【００３６】
図３を参照すると、このフレームは、アップリンクフレームであってもよく、ダウンリンクフレームであってもよい。この２つの領域の中の１つは、短レイテンシを支援する領域であり、他の１つは、短レイテンシを支援しない領域である。図面において、短レイテンシを支援する領域を“ＳＬＺ”で示し、短レイテンシを支援しない領域を“ｎｏｎ−ＳＬＺ”で示す。ここで、Ｎｏｎ−ＳＬＺは、“非ＡＡＩサブフレーム”とも呼ばれる。
【００３７】
参照符号“３００”は、ＳＬＺ及びｎｏｎ−ＳＬＺで構成された１つのフレームを示す。また、フレーム３００は、ＳＬＺ又はｎｏｎ−ＳＬＺのみで構成されることができる。
【００３８】
参照符号“３１０”は、１つのフレーム３００がＳＬＺ及びｎｏｎ−ＳＬＺで構成される場合の例を示す。また、３１０で示すようなＳＬＺは、３つの短レイテンシ領域を含む。上述したように、１つのフレーム内で厳格なレイテンシ要求条件を支援する領域のサイズ及び個数は、セル状況に従って様々に決定されることができる。
【００３９】
参照符号“３２０”乃至“３４０”は、短レイテンシを支援するために複数の領域を含む例を示し、これは、セル又は他の状況又は必要に応じて物理チャネルに様々にマッピングされる。参照符号“３２０”は、各ＳＬＺ及びｎｏｎ−ＳＬＺが時間多重化される例を示す。この短レイテンシ領域は、このフレーム内で任意の位置にマッピングされることができることを示す。
【００４０】
参照符号“３３０”は、各ＳＬＺが時間多重化され、ＳＬＺ及びｎｏｎ−ＳＬＺが周波数多重化される例を示す。また、図示していないが、各ＳＬＺは、相互に異なるサイズを有してもよい。
【００４１】
参照符号“３４０”は、ＳＬＺ及びｎｏｎ−ＳＬＺを構成する任意の短レイテンシ領域が時間多重化され、任意の短レイテンシ領域及びｎｏｎ−ＳＬＺが周波数多重化される例を示す。
【００４２】
図４は、本発明の実施形態によるセル状態に基づいて相互に異なる比率でＳＬＺ及びｎｏｎ−ＳＬＺが構成されるフレーム構成を示す図である。
【００４３】
図４を参照すると、フレームは、ダウンリンクフレームとアップリンクフレームとに区分され、ダウンリンクフレーム及びアップリンクフレームの各々は、ＳＬＺ及びｎｏｎ−ＳＬＺを含む。一例として、ダウンリンクフレームとアップリンクフレーム間のサイズ比率は、５：３である。
【００４４】
参照符号“４００”は、ｎｏｎ−ＳＬＺとＳＬＺ間のサイズ比率４：１を含むダウンリンクフレーム及びｎｏｎ−ＳＬＺとＳＬＺ間のサイズ比率２：１を含むアップリンクフレームを示す。
【００４５】
参照符号“４１０”は、ｎｏｎ−ＳＬＺとＳＬＺ間のサイズ比率３：２を含むダウンリンクフレーム及びｎｏｎ−ＳＬＺとＳＬＺ間のサイズ比率２：１を含むアップリンクフレームを示す。
【００４６】
参照符号“４２０”は、ｎｏｎ−ＳＬＺとＳＬＺ間のサイズ比率２：３を含むダウンリンクフレーム及びｎｏｎ−ＳＬＺとＳＬＺ間のサイズ比率１：２を含むアップリンクフレームを示す。
【００４７】
参照符号“４３０”は、ｎｏｎ−ＳＬＺとＳＬＺ間のサイズ比率１：４を含むダウンリンクフレーム及びｎｏｎ−ＳＬＺとＳＬＺ間のサイズ比率１：２を含むアップリンクフレームを示す。
【００４８】
参照符号“４４０”は、ダウンリンクフレーム及びアップリンクフレームの両方が短レイテンシを支援しない領域だけを含む場合を示す。
【００４９】
参照符号“４５０”は、ダウンリンクフレームでｎｏｎ−ＳＬＺ及びＳＬＺが時間多重化され、アップリンクフレームでｎｏｎ−ＳＬＺ及びＳＬＺが周波数多重化されることを示す。２つの領域間のサイズ比率は、様々に設定されることができる。
【００５０】
アップリンクフレームとダウンリンクフレーム間のサイズ比率に関する情報は、ブロードキャストチャネルを介して移動局に提供されることができる。また、短レイテンシを提供するか否かに関する情報、短レイテンシ領域の個数、及び各短レイテンシ領域の位置及びサイズ情報は、このブロードキャストチャネルを介して移動局に提供されることができる。例えば、参照符号“４００”で示すダウンリンクフレームにおいて、この短レイテンシ領域は、ｎｏｎ−ＳＬＺ（３ｘ）が終了する地点で開始される。すなわち、基地局は、ブロードキャストチャネルを介して、１つの間隔（ｘ）にわたった短レイテンシ領域がｎｏｎ−ＳＬＺが終了する地点で開始されることを移動局に通知する。
【００５１】
このブロードキャストチャネルは、各フレームに含まれてもよく、又は一定のサイクルのフレームに含まれてもよい。すなわち、移動局は、プリアンブルを使用して基地局と同期を取得した後に、このブロードキャストチャネルを介して提供された情報を用いてフレーム構成を認識する。図４は、フレームがセル状況に応じて時間多重化されることを一例に示しているが、図３に示すように、様々な形態で多重化されることができることはもちろんである。また、厳格なレイテンシを支援する領域のサイズ及び個数に影響を及ぼすセル状況は、セルカバレッジ、リンクコスト、処理率、及び任意のシステムへの移動などを含む。
【００５２】
図５は、本発明の実施形態による複数の短レイテンシ領域を含むフレーム構成を示す図である。
【００５３】
図５を参照すると、フレームは、ダウンリンクフレームとアップリンクフレームとに区分され、ダウンリンクフレームとアップリンクフレーム間のシンボル比率は、２９：１８である。ダウンリンクフレームは、５つの短レイテンシ領域を含み、アップリンクフレームは、３つの短レイテンシ領域を含む。図５の例において、ダウンリンクフレームでの５つの短レイテンシ領域は、順にＤＬ１ ５００、ＤＬ２ ５１０、ＤＬ３ ５２０、ＤＬ４ ５３０、及びＤＬ５ ５４０であり、アップリンクフレームでの３つの短レイテンシ領域は、順にＵＬ１ ５５０、ＵＬ２ ５６０、及びＵＬ３ ５７０である。
【００５４】
ダウンリンク送信で短レイテンシを支援するパケットは、次のように割り当てられ、（再）送信され、フィードバックされる。
【００５５】
受信端は、送信端がＤＬ１５００で送信したパケットに対するフィードバックをＵＬ１ ５５０の肯定応答／否定応答（ＡＣＫ／ＮＡＣＫ＿ＤＬ１）チャネルを介して送信端に送信する。送信端は、受信端からのフィードバックに従って次のフレームのＤＬ１でパケットを送信するか又は再送信する。
【００５６】
受信端は、送信端がＤＬ２５１０で送信したパケットに対するフィードバックをＵＬ１ ５５０のＡＣＫ／ＮＡＣＫ＿ＤＬ２チャネルを介して送信端に送信する。送信端は、受信端からのフィードバックに従って次のフレームのＤＬ２でパケットを送信するか又は再送信する。
【００５７】
受信端は、送信端がＤＬ３５２０で送信したパケットに対するフィードバックをＵＬ２ ５６０のＡＣＫ／ＮＡＣＫ＿ＤＬ３チャネルを介して送信端に送信する。送信端は、受信端からのフィードバックに従って次のフレームのＤＬ３でパケットを送信するか又は再送信する。
【００５８】
受信端は、送信端がＤＬ４５３０で送信したパケットに対するフィードバックをＵＬ２ ５６０のＡＣＫ／ＮＡＣＫ＿ＤＬ４チャネルを介して送信端に送信する。送信端は、受信端からのフィードバックに従って次のフレームのＤＬ４でパケットを送信するか又は再送信する。
【００５９】
受信端は、送信端がＤＬ５５４０で送信したパケットに対するフィードバックをＵＬ３ ５７０のＡＣＫ／ＮＡＣＫ＿ＤＬ５チャネルを介して送信端に送信する。送信端は、受信端からのフィードバックに従って次のフレームのＤＬ５でパケットを送信するか又は再送信する。
【００６０】
アップリンク送信で短レイテンシを支援するパケットは、次のように割り当てられ、（再）送信され、フィードバックされる。
【００６１】
ＵＬ１ ５５０で送信されたパケットに対して、この送信されたパケットに関する割当情報は、ＤＬ２ ５１０のＡｓｓｉｇｎｍｅｎｔ＿ＵＬ１チャネルを介して示され、この送信されたパケットに関するフィードバック情報は、次のフレームのＤＬ２ ５１０のＡＣＫ／ＮＡＣＫ＿ＵＬ１チャネルを介して提供される。
【００６２】
ＵＬ２ ５６０で送信されたパケットに対して、この送信されたパケットに関する割当情報は、ＤＬ３ ５２０のＡｓｓｉｇｎｍｅｎｔ＿ＵＬ２チャネルを介して示され、この送信されたパケットに関するフィードバック情報は、次のフレームのＤＬ３ ５２０のＡＣＫ／ＮＡＣＫ＿ＵＬ２チャネルを介して提供される。
【００６３】
ＵＬ３ ５７０で送信されたパケットに対して、この送信されたパケットに関する割当情報は、ＤＬ４ ５３０のＡｓｓｉｇｎｍｅｎｔ＿ＵＬ３チャネルを介して示され、この送信されたパケットに関するフィードバック情報は、次のフレームのＤＬ４ ５３０のＡＣＫ／ＮＡＣＫ＿ＵＬ３チャネルを介して提供される。上記の説明において、様々な送受信処理時間は、各パケット送信に従って考慮されることができ、各短レイテンシ領域でのパケット送信は、一定の再送信サイクルで行われる。
【００６４】
上記のように、処理遅延時間を考慮して、ダウンリンクフレームとアップリンクフレーム間で相互に対応する厳格なレイテンシ要求条件を支援する領域間には、この厳格なレイテンシ要求条件を支援する領域の長さより大きいか又は同一の遅延が存在する。
【００６５】
図６は、本発明の実施形態によるフレーム構成を示す図である。
【００６６】
図６を参照すると、フレームは、ダウンリンクフレームとアップリンクフレームとに区分され、ダウンリンクフレームは、５つの短レイテンシ領域を含み、アップリンクフレームは、３つの短レイテンシ領域を含む。
【００６７】
図６において、柔軟なレイテンシを要求する領域及び厳格なレイテンシを要求する領域は、時間及び周波数領域にわたってＯＦＤＭＡ方式で提供される。ここで、柔軟なレイテンシを要求する領域は、データが少なくとも２つのＳＬＺを介して送信されるか又は受信される領域を意味し、図６のフレームにおいて、ＤＬ６及びＤＬ７が、このような領域に対応する。厳格なレイテンシを要求する領域は、データが１つのＳＬＺを介して送信されるか又は受信される領域を意味する。柔軟なレイテンシを要求するデータが一定の間隔内で、すなわち、一定の個数のＳＬＺを介して送信されると、短レイテンシ要求条件に従うフィードバックを受信することができる。したがって、柔軟なレイテンシを要求する領域でのデータバースト送信又はデータバースト受信も短レイテンシを満足させることができる。
【００６８】
例えば、ＤＬ６を介したデータバースト送信のために必要なリソース割当は、ＤＬ６が開始するＤＬ１領域内のＡｓｓｉｇｎｍｅｎｔ＿ＤＬ６を介して示され、これに対するフィードバックは、アップリンクフレーム内のＵＬ１のＡＣＫ／ＮＡＣＫ＿ＤＬ６を介して提供されることができる。また、これに対するデータバースト（再）送信は、次のフレームのＤＬ６で行われることができる。ＤＬ６でのデータバースト送信は、柔軟なレイテンシを要求する領域で提供されるが、短レイテンシ要件を満足させることができる。ＤＬ７を介して送信されたパケットに対するフィードバックは、少なくとも１つのフレームが通った後のアップリンクフレーム間隔を介してなされる。例えば、このフィードバックは、図６のＵＬ３の位置に対応することにより少なくとも１つのフレームが通った後のＵＬ３で行われることができる。この後に、このフィードバックの結果によるデータ送信又は再送信は、一定の遅延後のＤＬ７を介して行われる。
【００６９】
上述したように、本発明の実施形態は、１つのフレーム構成内で相互に異なる再送信遅延を有するデータ送信を支援することができる。
【００７０】
ＵＬ４を介して送信されたパケットに対するフィードバックは、次のフレームのＤＬ３に位置したＡＣＫ／ＮＡＣＫ_ＵＬ４を介してなされる。この場合、１つの短レイテンシ領域のサイズより大きいか又は同一の長さを有するパケットも次のダウンリンクサブフレームでフィードバックされ、このフィードバックは、次のアップリンクサブフレームでパケット再送信（送信）を可能にするため、フレーム長さだけの再送信遅延を介して短レイテンシを支援することができる。
【００７１】
一方、ダウンリンクフレームとアップリンクフレーム間のシンボル比率が２９：１８であるフレームを考慮した場合に、このダウンリンクフレームは、５個のシンボルで構成された１番目の短レイテンシ領域と、６個のシンボルでそれぞれ構成された４つの短レイテンシ領域とを含むことができる。また、このアップリンクフレームは、６個のシンボルでそれぞれ構成された３つの短レイテンシ領域を含むことができる。
【００７２】
図７は、本発明の実施形態によるダウンリンクフレームとアップリンクフレーム間の様々なシンボル比率によるフレーム構成を示す図である。
【００７３】
図７を参照すると、２９：１８、２３：２４、及び３５：１２などのようなフレームのダウンリンクフレームとアップリンクフレーム間の様々なシンボル比率は、システム実現に従って様々になされることができる。図７を参照すると、１つの短レイテンシ領域に基づいて様々なＴＤＤ比率を支援することができることをわかる。
【００７４】
ダウンリンクフレームとアップリンクフレーム間のシンボル比率が２９：１８である場合に、ダウンリンクフレームにおいて、領域＃０は、５個のシンボルで構成されることができ、領域＃１、領域＃２、領域＃３、及び領域＃４の各々は、６個のシンボルで構成されることができる。また、アップリンクフレームにおいて、領域＃５、領域＃６、及び領域＃７の各々は、６個のシンボルで構成されることができる。
【００７５】
ダウンリンクフレームとアップリンクフレーム間のシンボル比率が２３：２４である場合に、ダウンリンクフレームにおいて、領域＃０は、５個のシンボルで構成されることができ、領域＃１、領域＃２、及び領域＃３の各々は、６個のシンボルで構成されることができる。また、アップリンクフレームにおいて、領域＃４、領域＃５、領域＃６、及び領域＃７の各々は、６個のシンボルで構成されることができる。
【００７６】
ダウンリンクフレームとアップリンクフレーム間のシンボル比率が３５：１２である場合に、ダウンリンクフレームにおいて、領域＃０は、５個のシンボルで構成されることができ、領域＃１、領域＃２、領域＃３、領域＃４、及び領域＃５の各々は、６個のシンボルで構成されることができる。また、アップリンクフレームにおいて、領域＃６及び領域＃７の各々は、６個のシンボルで構成されることができる。
【００７７】
図８は、本発明の実施形態による基地局が短レイテンシ領域を介して信号を送受信する手順を示すフローチャートである。
【００７８】
図８を参照すると、ステップ８０２で、基地局は、通信環境を考慮してダウンリンクフレーム及びアップリンクフレームを複数の領域に区分する。ステップ８０４で、基地局は、この区分された複数の領域の中の特定の領域を少なくとも１つの短レイテンシ領域として構成する。ステップ８０６で、基地局は、この短レイテンシ領域を介して信号を送受信する。
【００７９】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【手続補正２】
【補正対象書類名】特許請求の範囲
【補正対象項目名】全文
【補正方法】変更
【補正の内容】
【特許請求の範囲】
【請求項１】
移動通信システムにおける基地局がフレームを送信する方法であって、
フレームを送信するステップを具備し、
前記フレームは、少なくとも１個のアップリンクアドバンストエアーインターフェース（ＡＡＩ）フレームと少なくとも１個のダウンリンクＡＡＩフレームとを含み、前記アップリンクＡＡＩフレームは、少なくとも１個のアップリンクＡＡＩサブフレームを含み、前記ダウンリンクＡＡＩフレームは、少なくとも１個のダウンリンクＡＡＩサブフレームを含み、前記ダウンリンクＡＡＩサブフレームは、リソース割当情報と、フィードバック情報と、データとを含み、前記アップリンクＡＡＩサブフレームは、フィードバック情報とデータとを含むことを特徴とする方法。
【請求項２】
前記フレームは、少なくとも１個の非ダウンリンクＡＡＩフレームと少なくとも１個の非アップリンクＡＡＩフレームとを含むことを特徴とする請求項１に記載の方法。
【請求項３】
前記フレームは、第１の比率に従ってアップリンクＡＡＩフレームと非アップリンクＡＡＩフレームとを含み、第２の比率に従ってダウンリンクＡＡＩフレームと非ダウンリンクＡＡＩフレームとを含み、
前記第１の比率及び前記第２の比率は、同一であるか又は相互に異なることを特徴とする請求項２に記載の方法。
【請求項４】
前記ＡＡＩフレームは、第３の比率に従って前記アップリンクＡＡＩサブフレームと前記ダウンリンクＡＡＩサブフレームとを含むことを特徴とする請求項１に記載の方法。
【請求項５】
前記第３の比率は、前記アップリンクＡＡＩサブフレームの個数と前記ダウンリンクＡＡＩサブフレームの個数とがＡ：Ｂとなる比率であり、
前記Ａ：Ｂは、５：３、４：４、及び６：２のうちの１つであることを特徴とする請求項４に記載の方法。
【請求項６】
前記アップリンクＡＡＩサブフレーム及び前記ダウンリンクＡＡＩサブフレームでは、短レイテンシが要求されるデータが送信されることを特徴とする請求項１に記載の方法。
【請求項７】
移動通信システムにおける移動局がフレームを受信する方法であって、
フレームを受信するステップを具備し、
前記フレームは、少なくとも１個のアップリンクアドバンストエアーインターフェース（ＡＡＩ）フレームと少なくとも１個のダウンリンクＡＡＩフレームとを含み、前記アップリンクＡＡＩフレームは、少なくとも１個のアップリンクＡＡＩサブフレームを含み、前記ダウンリンクＡＡＩフレームは、少なくとも１個のダウンリンクＡＡＩサブフレームを含み、前記ダウンリンクＡＡＩサブフレームは、リソース割当情報と、フィードバック情報と、データとを含み、前記アップリンクＡＡＩサブフレームは、フィードバック情報と、データとを含むことを特徴とする方法。
【請求項８】
前記フレームは、少なくとも１個の非ダウンリンクＡＡＩフレームと少なくとも１個の非アップリンクＡＡＩフレームとを含むことを特徴とする請求項７に記載の方法。
【請求項９】
前記フレームは、第１の比率に従ってアップリンクＡＡＩフレームと非アップリンクＡＡＩフレームとを含み、第２の比率に従ってダウンリンクＡＡＩフレームと非ダウンリンクＡＡＩフレームとを含み、
前記第１の比率及び前記第２の比率は、同一であるか又は相互に異なることを特徴とする請求項８に記載の方法。
【請求項１０】
前記ＡＡＩフレームは、第３の比率に従って前記アップリンクＡＡＩサブフレームと前記ダウンリンクＡＡＩサブフレームとを含むことを特徴とする請求項７に記載の方法。
【請求項１１】
前記第３の比率は、前記アップリンクＡＡＩサブフレームの個数と前記ダウンリンクＡＡＩサブフレームの個数とがＡ：Ｂとなる比率であり、
前記Ａ：Ｂは、５：３、４：４、及び６：２のうちの１つであることを特徴とする請求項１０に記載の方法。
【請求項１２】
前記アップリンクＡＡＩサブフレーム及び前記ダウンリンクＡＡＩサブフレームでは、短レイテンシが要求されるデータが送信されることを特徴とする請求項７に記載の方法。
【手続補正３】
【補正対象書類名】図面
【補正対象項目名】全図
【補正方法】変更
【補正の内容】
【図１Ａ】
2010526510.tif 000012
【図１Ｂ】
2010526510.tif 000013
【図２】
2010526510.tif 000014
【図３】
2010526510.tif 000015
【図４】
2010526510.tif 000016
【図５】
2010526510.tif 000017
【図６】
2010526510.tif 000018
【図７】
2010526510.tif 000019
【図８】
2010526510.tif 000020
【国際調査報告】
2010526510.tif 000021
2010526510.tif 000022